(57)【要約】  おむつまたは失禁ガードなどの吸収用品は、第１および第２の体面材(１１，１２)を備える。ターゲット領域(１８)が、第２の体面材(１２)の対向する長手方向側縁部(１２ａ；２２ａ)に配置されたファスナー(１７)を受ける第１の体面材(１１)上に配置される。ターゲット領域(１９)は、第１の体面材(１１)の横方向中央部分に配置され、かつサイズフィット表示手段(１９)が、ターゲット領域と第１の体面材の長手方向側縁部(１１ａ)との間に配置され、かつ用品が着用者に小さすぎることを示すよう構成されている。用品は、用品のさまざまなサイズの組み合わせのひとつを形成し、各サイズは、カラー、キャラクター、グラフィック、テキストなどしるしを有し、サイズフィット表示手段(１９)は、少なくとも一つの領域に、用品自体のサイズよりも大きなサイズであることを示すカラー、キャラクター、グラフィック、テキストなどしるしを有する。
2010532202.tif 000002
【特許請求の範囲】
【請求項１】
吸収用品であって、
第１の体面材(１１)と、第２の体面材(１２)と、前記第１および第２の体面材の間に延在する股部(１３)とを具備してなり、前記用品は、長手方向(ｙ)と横方向(ｘ)とを有しており、前記第１および第２の体面材は、長手方向側縁部(１１ａ；１２ａ)と横方向側縁部(１１ｂ；１２ｂ)とを有しており、前記第１の体面材は、前記第２の体面材(１２)の対向する前記長手方向側縁部(１２ａ；２２ａ)に配置されたファスナー(１７)を受けるよう意図されたターゲット領域(１８)を具備してなり、前記ファスナーが前記ターゲット領域(１８)に固定されるとき、前記用品がパンツ形状を呈するようになり、かつ、少なくとも一つのサイズフィット表示手段(１９)が、前記第１の体面材(１１)上に配置され、前記ターゲット領域(１９)が前記第１の体面材(１１)の横方向中央部分に位置させられ、かつ、前記サイズフィット表示手段(１９)が、前記ターゲット領域と前記第１の体面材(１１)の長手方向側縁部(１１ａ)との間に位置させられ、かつ前記用品が着用者には小さすぎるものであることを示すよう構成されていることを特徴とする吸収用品。
【請求項２】
前記用品が、用品の少なくとも二つの異なるサイズの組み合わせのひとつを形成する選択されたサイズのものであり、各サイズが、カラー、キャラクター、グラフィック、テキスト、またはそれらの組み合わせなどの形態の選択されたしるしを有しており、前記サイズフィット表示手段(１９)は、用品自身のサイズよりも大きなサイズであることを示すしるしであるカラー、キャラクター、グラフィック、テキスト、またはそれらの組み合わせを有する少なくとも一つの領域を具備してなることを特徴とする請求項１に記載の吸収用品。
【請求項３】
前記ターゲット領域(１８)および前記サイズフィット表示手段(１９)は、使用時に、前記用品が前記ファスナー(１７)によって着用者に固定されるときに、
前記用品のサイズが着用者に適切であった場合に、前記ファスナー(１７)が取り付けられる前記第２の体面材(１２)の各前記長手方向側縁部(１２ａ；２２ａ)が、実質的に前記サイズフィット表示手段を覆うよう、前記サイズフィット表示手段(１９)の横方向における内側に配置されるように、かつ、
前記用品のサイズが着用者には小さすぎる場合には、前記サイズフィット表示手段(１９)が、前記ターゲット領域(１８)と前記第２の体面材(１２)の前記長手方向側縁部(１２ａ；２２ｂ)との間において、目で見えるようになるように、
構成されていることを特徴とする請求項１または請求項２に記載の吸収用品。
【請求項４】
サイズフィット表示手段(１９)は、前記ターゲット領域(１８)を形成する前記横方向中央部分の側方側部の両方に配置されていることを特徴とする請求項１ないし請求項３のいずれか一項に記載の吸収用品。
【請求項５】
前記サイズフィット表示手段(１９)は、前記ターゲット領域(１８)に近接する移行領域(１９ａ)を具備してなり、前記移行領域は、カラーの明暗度、キャラクターのサイズ、パターン密度または表現、グラフィック、テキスト、あるいはそれらの組み合わせによって、用品が着用者には小さいものであることを示す段階的なしるしを形成することを特徴とする請求項１ないし請求項４のいずれか一項に記載の吸収用品。
【請求項６】
前記サイズフィット表示手段(１９)は、前記用品の衣類に面する表面にプリントされたパターンを具備してなることを特徴とする請求項１ないし請求項５のいずれか一項に記載の吸収用品。
【請求項７】
前記ファスナー(１７)を受けるよう構成された受容材料からなる帯片(２２)が、前記第１の体面材(１１)上に配置されており、前記帯片は、前記ターゲット領域(１８)にわたって、かつ前記サイズフィット表示手段(１９)の少なくとも一部にわたって、横方向に延在しており、前記受容材料からなる帯片は、前記プリントされたパターンがそれを介して目で見えるように透過性のものであることを特徴とする請求項６に記載の吸収用品。
【請求項８】
前記ターゲット領域(１８)は、前記ファスナー(１７)を受けるように構成された受容材料からなる帯片上に配置されていることを特徴とする請求項１ないし請求項６のいずれか一項に記載の吸収用品。
【請求項９】
前記サイズフィット表示手段(１９)は、受容材料からなる前記帯片にプリントされたパターンを具備してなることを特徴とする請求項８に記載の吸収用品。
【請求項１０】
前記用品の前記衣類に面する表面は、前記ファスナー(１７)を受けるよう構成された受容材料として機能するものであることを特徴とする請求項６に記載の吸収用品。
【請求項１１】
前記ターゲット領域(１８)は、前記サイズフィット表示手段(１９)のものとは明確に異なるパターンおよび／またはカラーを具備してなることを特徴とする請求項１ないし請求項１０のいずれか一項に記載の吸収用品。
【請求項１２】
前記用品は乳児用おむつであることを特徴とする請求項１ないし請求項１１のいずれか一項に記載の吸収用品。
【発明の詳細な説明】
【技術分野】
【０００１】
本発明は、第１および第２の体面材およびそれらの間の股面材を備え、かつ第１の体面材が、第２の体面材の対向する長手方向側縁部に配置されたファスナーを受けるよう意図されたターゲット領域を備えるタイプの、おむつまたは失禁ガードの形態の吸収用品に関するものである。ファスナーがターゲット領域に固定されるとき、この用品はパンツ型形状を呈するようになる。さらにこの用品は、第１の体面材に配置された少なくとも一つのサイズフィット表示手段を備えている。
【背景技術】
【０００２】
上記種類の吸収用品は、一般的に後方体面材である体面材の一方の対向する長手方向側部に付着されかつ対向する体面材におけるターゲット領域に固定されるよう意図された粘着テープまたはフック材料のタイプのファスナーを備えている。このターゲット領域は、ファスナーを受けるよう構成された材料からなる帯片を備えているか、または体面材の外側材料がファスナーを受けるよう構成されている場合には、単純に体面材(一般的には前方体面材)の一部となっていてもよく、その体面材の一部は、用品が正しくフィットするようにファスナーを受けるように意図されたものである。介護者にとって、用品の適切なフィット状態を提供するために正しい位置にファスナーを容易に取り付けられるようにするために、このターゲット領域は、カラー、キャラクター、グラフィック、テキスト、またはそれらの組み合わせによって示されていてもよい。なぜなら、漏出に関する良好な安全性を実現するために、着用者に適度に密着したフィット状態が必要とされるからだ。用品のサイズが着用者にとって小さすぎるとき、これは、漏出および用品の好ましくない不適合という問題を引き起こすようになる。
【０００３】
特許文献１には、着用者にとって用品が大きすぎることを示すためのサイズフィット表示手段を有する吸収用品が開示されている。ファスナーのための二つのターゲット帯片が前方体面材に設けられており、かつ可視サイジング表示器が二つのターゲット帯片の間に配置されており、それによって、ファスナーがサイジング表示器に重なるとき、これは、用品が大きすぎることを示すものとなる。
【０００４】
特許文献２には、透明固定テープとキャラクター、数字、文字などの形態の指示手段を有する前方体面材におけるターゲット領域と、を含む粘着性固定テープシステムを有するおむつが開示されている。
【０００５】
特許文献３には、テープファスナーと、テープファスナーのための位置表示器として機能する接着剤によって断続的に前記体面材の外側シートに結合された透明受容シートの形態のターゲット領域とを備える固定システムを有するおむつが開示されている。
【０００６】
特許文献４には、体重や身長などの少なくとも二つの特性に応じて潜在的な着用者に適合する吸収用品のサイズを区別するためのデバイスおよび方法が開示されている。
【０００７】
特許文献５には、前方体面材の外側不織布表面に係合可能なフック材料の形態のファスナーを有する吸収用品が開示されており、このものにおいて、配置領域グラフィックが、ファスナーのためのターゲット領域にプリントされ、外側不織布によって覆われており、かつ外側不織布を通して見る事ができるようになっている。
【先行技術文献】
【特許文献】
【０００８】
【特許文献１】米国特許出願公開第2007/0049896号明細書
【特許文献２】米国特許第5,133,707号明細書
【特許文献３】米国特許第5,897,546号明細書
【特許文献４】米国特許第6,448,202号明細書
【特許文献５】国際公開第03/034966号パンフレット
【発明の概要】
【発明が解決しようとする課題】
【０００９】
このように、使用者におむつを固定する際に介護者を誘導するための指示器を使用することを開示する従来技術が存在する。しかしながら、こうした従来技術においては、用品が着用者にとって正しいサイズであるかまたは小さすぎるサイズのものであることを示す明確な情報を提供するものではなく、そして良好なフィット性および機能を提供するためには、より大きなサイズのものと交換することが必要となっている。成長中の乳児に関して、多くの場合、製品が着用者にとって実際に小さすぎるようになる時期、および、より大きなサイズのものと変更する時期を決定することは介護者にとっては困難である。
【課題を解決するための手段】
【００１０】
本発明の目的は、上記種類のものであり、かつ用品が正しいサイズであるか否かまたは着用者がよりサイズの大きな用品を必要としているかどうかを介護者に示すという課題を解決する吸収用品、特に乳児用おむつ、または失禁ガードを提供することである。これは、ファスナーのためのターゲット領域が第１の体面材の横方向中央部分に配置されており、かつサイズフィット表示手段が、ターゲット領域と第１の体面材の長手方向側縁部との間に配置され、かつ用品が着用者にとって小さいことを示すよう構成されるようになっていることによって提供される本発明に基づくものである。
【００１１】
本発明の一態様において、用品は、用品の少なくとも二つの異なるサイズの組み合わせのひとつを形成する選択されたサイズのものからなり、このものにおいて、各サイズは、カラー、キャラクター、グラフィック、テキストまたはそれらの組み合わせの形態の選択されたしるしを有し、サイズフィット表示手段は、用品自身のサイズよりも大きなサイズであることを示すしるしである、カラー、キャラクター、グラフィック、テキストまたはそれらの組み合わせを有する少なくとも一つの領域を備えている。さらに、これは、介護者に対して、用品が小さいことを提示するか、またはそのサイズが変更されるべきものであるかを提示するものであることを意味する。
【００１２】
さらなる態様において、ターゲット領域およびサイズフィット表示手段は、使用時に、用品がファスナーによって着用者に固定されるときに、ファスナーが固定される第２の体面材の各長手方向側縁部が、用品のサイズが着用者に適切であるときにサイズフィット表示手段が実質的に覆われるように、サイズフィット表示手段の内側に、横方向に配置されるようになる。しかしながら、用品のサイズが着用者には小さいとき、サイズフィット表示手段は、ターゲット領域と、第２の体面材の長手方向側縁部との間で目で見る事ができるようになる。
【００１３】
一実施形態において、サイズフィット表示手段は、ターゲット領域を形成する横方向中央部分の横方向側部のいずれにも配置されている。
【００１４】
さらなる実施形態において、サイズフィット表示手段は、ターゲット領域に近接する移行領域(transition zone)を備えており、移行領域は、カラーの明暗度、キャラクターのサイズ、パターン密度、または表現、グラフィック、テキスト、またはそれらの組み合わせによって、用品が着用者には用品が小さいことを示す段階的なしるしを形成する。
【００１５】
本発明の一態様によれば、ターゲット領域とサイズフィット表示手段とは、用品の衣類に面する表面にパターンプリントを備えている。
【００１６】
一実施形態において、ファスナーを受けるよう構成された受容材料の帯片は第１の体面材に配置されており、この帯片は、ターゲット領域にわたって、かつサイズフィット表示手段の少なくとも一部にわたって横方向に延在しており、かつ受容材料からなる帯片は、それを介してプリントされたパターンが目で見えるように透明である。
【００１７】
代替実施形態において、ターゲット領域は、ファスナーを受けるよう構成された受容材料からなる帯片に設けられている。サイズフィット表示手段は、受容材料からなる帯片にプリントされたパターンを備えていてもよい。
【００１８】
さらなる実施形態において、用品の衣類に面する表面は、ファスナーを受けるよう構成された受容材料として機能し、かつサイズフィット表示手段は、用品の衣類に面する表面にプリントされたパターンを備えていてもよい。
【００１９】
さらに他の実施形態において、ターゲット領域は、サイズフィット表示手段のパターンおよび／またはカラーとは明確に異なるパターンおよび／またはカラーを備えている。
【００２０】
さらなる態様においては、吸収用品は乳児用おむつである。
【００２１】
以下、本発明について、図面に示されたいくつかの実施形態を参照してより詳細に説明する。
【図面の簡単な説明】
【００２２】
【図１】その衣類に面する側から見た、本発明の一実施形態によるおむつの平面図である。
【図２ａ】使用時にファスナーがターゲット領域に付着された状態のおむつの構成を示す図である。
【図２ｂ】使用時に、ファスナーがターゲット領域の外側に配置され、そのためサイズフィット表示手段が露出された状態の、おむつの構成を示す図である。
【図３】第２の実施形態による衣類に面する側から見たおむつの平面図である。
【図４】本発明のさらなる実施形態の第１の体面材を示す。
【発明を実施するための形態】
【００２３】
図面の図１には、第１の体面材１１を備える乳児用おむつまたは失禁ガード１０の形態の吸収用品の一実施形態が示されており、図面に示されたこの実施形態において、それは使用時に着用者の胃および下腹部にわたって延在するよう意図されている。また、用品は、第２の体面材１２を備えており、これは、図示された実施形態において、使用時に着用者の背中および臀部にわたって延在するよう意図されたパンツおむつの一部である。代替的に、第１の体面材１１が後方体面材であってもよく、また第２の体面材１２が前方体面材であってもよいことに留意されたい。この用品は、長手方向ｘと横方向ｙとを有している。第１および第２の体面材は、それぞれ、長手方向および横方向側縁部１１ａ，１１ｂおよび１２ａ，１２ｂを有している。
【００２４】
衣類１０の股部１３は、使用時に着用者の脚の間の股部を通って延在するよう意図された衣類の一部である。吸収コア１４は、股部１３に配置されており、かつ前方および後方体面材１１および１２まで延在している。吸収コア１４は、内側カバーシート１５を外側カバーシート１６との間に配置されている。
【００２５】
「内側カバーシート」は、吸収性衣類の内側カバーを形成しかつ使用時に着用者の皮膚に接触する方向に配置される液体透過性材料シートに関連するものである。内側カバーシートは、不織布材料(例えばスパンボンド、メルトブローン、毛羽立て、水中絡み合い(hydroentangled)、湿式積層(wetlaid)など)から形成できる。適当な不織布材料は、木材パルプまたはコットン繊維のような天然繊維から、ポリエステル、ポリエチレン、ポリプロピレン、ビスコース、レーヨンなどのような人工繊維から、あるいは天然繊維と人工繊維の混合物から形成できる。表面シート材はさらにトウ繊維から形成されてもよく、このトウ繊維は、例えば欧州特許出願公開第1 035 818号明細書(EP-A-1 035 818)に開示されるように、ある接合パターンで互いに接合できる。内側カバーシート材料のさらなる例は、多孔質フォーム、穿孔プラスチックフィルムなどである。内側カバーシート材料に適した素材は、柔軟でかつ肌を刺激せず、しかも体液が直ちに浸透するようになされたものであるべきである。内側カバーシート材料はさらに吸収性衣類の別の部分においては異なっていてもよい。
【００２６】
「外側カバーシート」は、吸収性衣類の外側カバーシートを形成する材料に関するものである。外側カバーシート材料はさらに吸収性衣類の別の部分においては同じであってもまたは異なっていてもよい。少なくとも吸収コアの領域において、外側カバーシートは、液体不透過性素材、例えば薄いプラスチックフィルム(例としてポリエチレンあるいはポリプロピレンフィルム)、液体不透過性物質で覆われた不織布材、疎水性の不織布材料(これは液体の浸透に抗する)あるいはプラスチックフィルムおよび不織布材料からなるラミネートからなる、液体不透過性材料を備えている。外側カバーシート材料は通気性を有していてもよく、これによって吸収コアから蒸気を逃がすことが可能となり、その一方で液体がそれを通過するのは依然として阻止される。通気性を有する外側カバーシート材料の例としては、多孔質高分子フィルム、スパンボンドおよびメルトブローン層からなる不織布ラミネート、多孔質高分子フィルムおよび不織布からなるラミネートが挙げられる。好ましくは、外側カバーシート材料は、少なくともその下着に面する表面において不織布材料を備えている。
【００２７】
「吸収コア」は、吸収性衣類の少なくとも股領域において、吸収性衣類の二つのカバーシートの間に配置される吸収構造体である。吸収コアは従来型のものであってもよい。普通に見られる吸収材料の例は、セルロースフラッフパルプ、ティッシュ層、高吸収ポリマー(いわゆる超吸収材)、吸収フォーム材、吸収不織布材などである。セルロースフラッフパルプと超吸収材とを吸収コアで組み合わせることも一般的である。超吸収性ポリマーは、０.９重量パーセントもの塩化ナトリウムの水溶液を自重の少なくとも２０倍吸収する能力のある、水膨潤性、水不溶性の有機または無機材料である。吸収材料への使用に適した天然材料として、ポリサッカライド、ポリペプチドなどの天延材料、同様に、合成ヒドロゲルポリマーがある。そうしたヒドロゲルポリマーは、例えばポリアクリル酸のアルカリ金属塩、ポリアクリルアミド、ポリビニルアルコール、ポリアクリラート、ポリアクリルアミド、ポリビニルピリジンなどが挙げられる。他の適切なポリマーは、アクリロニトリルグラフトスターチ加水分解物、アクリル酸グラフトスターチ、およびイソブチレン無水マレイン酸コポリマー、およびそれらの混合物である。ヒドロゲルポリマーは、好ましくは、実質的に水不溶性材料となるよう軽度に交差結合されている。好ましい超吸収体材料は、さらに、表面交差結合されていてもよく、これによって、吸収性粒子、繊維、フレーク、球体などの外面および外殻が、超吸収体の内部よりも高い交差結合密度となるよう処理される。超吸収体材料は、粒子、繊維、フレーク、球体などを含む吸収性複合材における使用に適した形態のものであってもよい。
【００２８】
多量の超吸収材料を使用することによって高い液体貯蔵能力が提供される。セルロース繊維および超吸収体材料などの親水性繊維のマトリックスを備える吸収コアに関して、超吸収体材料の割合は、好ましくは重量で１０〜９０％、さらに好ましくは重量で３０〜７０％である。
【００２９】
吸収性衣類に関して、液体吸収力、液体分散力および貯蔵力に関して異なる特性を備えた層を有する吸収コアを配することも一般的である。厚みの小さな吸収体(これは例えばベビーおむつおよび失禁ガードにおいて一般的である)は、しばしば、セルロースフラッフパルプおよび超吸収材からなる圧縮混合あるいは積層構造体を備える。吸収コアのサイズおよび吸収力は、異なる用途に適合するよう、例えば乳児用あるいは成人失禁者用に変更可能である。
【００３０】
吸収コアは、さらに、主吸収体の上部に配置された取得拡散層を含んでおり、これは、排出された液体が主吸収体によって吸収される前に、液体を迅速に受容し、そして一時的に貯蔵するよう構成されている。そうした取得拡散層は、公知となっており、かつ多孔質繊維ワディングまたはフォーム材料であってもよい。
【００３１】
用品は、さらに、脚弾性部、ウエスト弾性部、吸収コアに沿って隆起した漏出バリアなどの弾性特徴部を備えている。これら自体は公知のものとなっているので図示しない。
【００３２】
ファスナー１７は、第２の体面材１２の長手方向側縁部１２ａのそれぞれに取り付けられており、かつ第１の体面材１１の外側に固定されている。ファスナー１２は、粘着性テープまたは機械的ファスナー、特にフック・ループファスナー(面ファスナー)手段のフックファスナーを備えていてもよい。「フック・ループファスナー」は、「フック」部と「ループ」部とを有する相補的な固定手段に関するものであり、かつ再固定可能なものである。本明細書において使用される「フック」という語は、他の要素、いわゆる「ループ」部と係合可能な要素を意味する。「フック」との語は、「フック」の一般的な意味に限定されず、一方向性または双方向性の係合要素のいかなる形態のものも含んでいる。同様に「ループ」との語は、「ループ」の一般的な意味に限定されるものではなく、「フック」ファスナーと係合可能ないかなる構造も含むものである。「ループ」材料の一例として、不織布材料のような繊維構造が挙げられる。フック・ループファスナーは例えば米国のVelcroから市販されているものである。
【００３３】
機械的ファスナーのさらなる例として、ボタンおよびホール、またはボタンループ、スナップファスナーなどがある。接着剤および機械的ファスナーの組み合わせも用いることができる。
【００３４】
ファスナーは、用品が着用者に適用されるとき、第１の体面材１１におけるターゲット領域１８に固定されるよう意図されている。ターゲット領域１８は、用品が使用者にとって適切なサイズである場合にファスナーを受けるよう意図された第１の体面材の領域として規定される。ターゲット領域１８は、その横方向中央領域(用品の横方向中央軸線２０にわたって中央に配置された領域を意味する)において第１の体面材１１の横方向縁部１１ｂから所定の距離をおいて配置されている。ターゲット領域１８は、好ましくは、カラー、キャラクター、グラフィック、テキストまたはそれらの組み合わせによって示されているが、これらは必ずしも必要なものではない。ターゲット領域１８の寸法は変更可能であるが、好ましくは、横方向ｘにおいて、横方向における第１の体面材１１の幅の少なくとも２０％の、さらに好ましくは少なくとも２５％の広がりを有している。さらに、ターゲット領域１８は、横方向における第１の体面材の幅の７０％以下、さらに好ましくは６０％以下の横方向ｘにおける広がりを有していることが好ましい。
【００３５】
ターゲット領域１８は、ファスナー１７のための受容材料を備えている。プラスチックフィルムまたは不織布材料は、粘着性テープのための受容面として機能するものである一方で、フックファスナーに関しては、受容面は上記種類のループ材料となる。
【００３６】
さらに、用品はサイズフィット表示手段１９を備えており、それは、ターゲット領域１８の横方向側部のいずれかにおいて第１の体面材１１上に、すなわち、ターゲット領域１８と第１の体面材１１の長手方向側縁部１１ａのそれぞれとの間に配置されている。サイズフィット表示手段１９は、用品が着用者にとって小さすぎること、そしてより適切なフィット性および漏出に関する安全性を有するように、より大きなサイズの用品と交換する必要があることを示すよう意図されている。サイズフィット表示手段１９は、カラー、キャラクター、グラフィック、テキストまたはそれらの組み合わせによって示されてもよい。ターゲット領域１８が、カラー、キャラクター、グラフィック、テキストによって示される場合には、サイズフィット表示手段１９のしるしは、ターゲット領域１８のしるしとは異なりかつ見分けのつくものでなければならない。したがって、ターゲット領域１８とサイズフィット表示手段１９とは、異なるカラー、異なるキャラクター、異なるグラフィック、異なるテキストまたはそれらの組み合わせの領域によって示すことができる。サイズフィット表示手段１９、すなわちサイズフィット表示手段が配置される領域は、ターゲット領域１８から第１の体面材の各側縁部１１ａまで全体的に延在していてもよく、あるいは各側縁部１１ａの内側に所定の距離をおいて終端をなしていてもよい。好ましくは、各サイズフィット表示手段１９、すなわちサイズフィット表示手段が配置される領域は、横方向における第１の体面材１１の幅の少なくとも１０％、好ましくは少なくとも１５％であるが、横方向における第１の体面材１１の幅の３０％以下の、好ましくは２５％以下の、横方向における広がりを有している。
【００３７】
サイズフィット表示は、以下の様式におけるように機能することを意図されている。図２ａに示されるように、用品が着用者に固定されるときに、かつ着用者がファスナー１７を第１の体面材１１におけるターゲット領域１８に固定できるサイズであるとき、サイズフィット表示手段１９が、第２の体面材１２の長手方向側縁部１２ａの後ろに隠れるようになる。このように、用品が着用者にフィットするサイズものものであるとき、用品の構成は図２ａに示されるようになる。しかしながら、用品が着用者にとって小さすぎるものである場合には、ファスナー１７は、ターゲット領域１８に固定できず、その横方向の外側に固定されるようになる。したがって、サイズフィット表示手段１９は露出されるようになり、それは、ターゲット領域１８と第２の体面材１２の各長手方向側縁部１２ａとの間で目で見ることができるようになる。そうした用品の構成を図２ｂに示す。
【００３８】
ターゲット領域１８とサイズフィット表示手段１９とは、用品の外側カバー１６にプリントされたパターンを備えていてもよい。この場合において、ファスナー１７が固定される受容材料は、カバーシート自体に、あるいは外側カバーシート１６に取り付けられる受容材料からなる別個の帯片２１のいずれかであってもよい(図４参照)。この帯片２１は、ターゲット領域１８のパターンおよびサイズフィット表示手段１９を帯片２１を介して目で見ることができるように、実質的に透明であることが望ましい。帯片２１は、ターゲット領域１８のパターンとサイズフィット表示手段１９とを組み合わせたものと同じサイズであるか、またはそれよりも小さいか、もしくはそれよりも大きいものであってもよい。
【００３９】
図３には、サイズフィット表示領域１９がターゲット領域１８に隣接する移行領域１９ａを備える実施形態が示されており、このものにおいて、移行領域１９ａは、用品が着用者にとって小さいものであるかを示す段階的なしるしを形成する。これは、カラーの明度、キャラクターのサイズまたはパターン密度、グラフィック、テキストまたはそれらの組み合わせによって設けることができる。図３において、移行領域１９ａは、サイズフィット表示手段１９のカラーの明度を高めることによって形成されている。図４においては、移行領域１９ａは、うさぎの形態のキャラクターのサイズを大きくすることによって形成されている。また、図４には、楽しそうな表情から残念そうな表情のうさぎの形態である付加的なしるしが示されており、残念そうな表情は、おむつが非常に小さいものであること示している。
【００４０】
図３に示す実施形態において、ファスナー１７は、弾性タブ２２を介して第２の体面材１２に取り付けられており、それは、ファスナー１７の対向する寸法を著しく超えて長手方向ｙに広がりを有している。この場合、第２の体面材１２の長手方向側縁部は、弾性タブ２２の長手方向側縁部２２ａとして規定される。用品が着用者に固定されるときに、弾性タブ２２の長手方向側縁部２２ａの位置は、サイズフィット表示手段１９が露出されるか否かによって決定される。
【００４１】
本発明の一実施形態において、用品は、用品の少なくとも二つの異なるサイズ(例えば、小、中、大など)の組み合わせのひとつを形成する選択されたサイズのものであり、このものにおいて、各サイズは、カラー、キャラクター、グラフィック、テキストまたはそれらの組み合わせの形態の所定のしるしを有している。サイズフィット表示手段１９は、カラー、キャラクター、グラフィック、テキストまたはそれらの組み合わせを有する少なくとも一つの領域を有しており、それは、用品自身のサイズよりもより大きいサイズ(すなわち上記組み合わせにおける次のサイズ)であることを示すしるしである。例えば、用品が黄色で示された「小」サイズのものである場合には、サイズフィット表示手段１９は、例えば青色によって示される「中」サイズを示す少なくとも一つの領域を有することができる。これは、介護者に、その用品が小さいことを提示し、そしてそのサイズを変更するべきであることも提示することを意味している。
【００４２】
図４において、ターゲット領域１８は、その上にプリントされた鳥の形態のキャラクターを有しており、このものにおいて、この鳥は、用品のサイズを示すしるしであってもよい。その一方で、サイズフィット表示領域１９は、その上にプリントされたうさぎのしるしを有しており、このうさぎは、上記組み合わせにおける次のサイズにすることを示している。
【００４３】
以上、わずかな例示的な実施形態のみについて説明してきたが、これらにおいて、いくつかの変更が可能であることは当業者には容易に理解できるものである。そうした変更は、特許請求の範囲において規定されているように、本発明の範囲内に含まれることが意図されている。
【符号の説明】
【００４４】
１０  吸収性衣類
１１  第１の体面材
１１ａ，１１ｂ  横方向側縁部
１２  第２の体面材
１２ａ，１２ｂ  長手方向側縁部
１３  股部
１４  吸収コア
１５  内側カバーシート
１６  外側カバーシート
１７  ファスナー
１８  ターゲット領域
１９  サイズフィット表示手段
１９ａ  移行領域
２２  弾性タブ
２２ａ  長手方向側縁部
【図１】
2010532202.tif 000003
【図２ａ】
2010532202.tif 000004
【図２ｂ】
2010532202.tif 000005
【図３】
2010532202.tif 000006
【図４】
2010532202.tif 000007
【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
吸収用品であって、
第１の体面材(１１)と、第２の体面材(１２)と、前記第１および第２の体面材の間に延在する股部(１３)とを具備してなり、前記用品は、長手方向(ｙ)と横方向(ｘ)とを有しており、前記第１および第２の体面材は、長手方向側縁部(１１ａ；１２ａ)と横方向側縁部(１１ｂ；１２ｂ)とを有しており、前記第１の体面材は、前記第２の体面材(１２)の対向する前記長手方向側縁部(１２ａ；２２ａ)に配置されたファスナー(１７)を受けるよう意図されたターゲット領域(１８)を具備してなり、前記ファスナーが前記ターゲット領域(１８)に固定されるとき、前記用品がパンツ形状を呈するようになり、かつ、少なくとも一つのサイズフィット表示手段(１９)が、前記第１の体面材(１１)上に配置され、前記ターゲット領域(１９)が前記第１の体面材(１１)の横方向中央部分に位置させられ、かつ、前記サイズフィット表示手段(１９)が、前記ターゲット領域と前記第１の体面材(１１)の長手方向側縁部(１１ａ)との間に位置させられ、かつ前記用品が着用者には小さすぎるものであることを示すよう構成されており、かつ、
前記用品が、用品の少なくとも二つの異なるサイズの組み合わせのひとつを形成する選択されたサイズのものであり、各サイズが、カラー、キャラクター、グラフィック、テキスト、またはそれらの組み合わせなどの形態の選択されたしるしを有しており、前記サイズフィット表示手段(１９)は、用品自身のサイズよりも大きなサイズであることを示すしるしであるカラー、キャラクター、グラフィック、テキスト、またはそれらの組み合わせを有する少なくとも一つの領域を具備してなることを特徴とする請求項１に記載の吸収用品。
【請求項２】
前記ターゲット領域(１８)および前記サイズフィット表示手段(１９)は、使用時に、前記用品が前記ファスナー(１７)によって着用者に固定されるときに、
前記用品のサイズが着用者に適切であった場合に、前記ファスナー(１７)が取り付けられる前記第２の体面材(１２)の各前記長手方向側縁部(１２ａ；２２ａ)が、実質的に前記サイズフィット表示手段を覆うよう、前記サイズフィット表示手段(１９)の横方向における内側に配置されるように、かつ、
前記用品のサイズが着用者には小さすぎる場合には、前記サイズフィット表示手段(１９)が、前記ターゲット領域(１８)と前記第２の体面材(１２)の前記長手方向側縁部(１２ａ；２２ｂ)との間において、目で見えるようになるように、
構成されていることを特徴とする請求項１または請求項２に記載の吸収用品。
【請求項３】
サイズフィット表示手段(１９)は、前記ターゲット領域(１８)を形成する前記横方向中央部分の側方側部の両方に配置されていることを特徴とする請求項１または請求項２に記載の吸収用品。
【請求項４】
前記サイズフィット表示手段(１９)は、前記ターゲット領域(１８)に近接する移行領域(１９ａ)を具備してなり、前記移行領域は、カラーの明暗度、キャラクターのサイズ、パターン密度または表現、グラフィック、テキスト、あるいはそれらの組み合わせによって、用品が着用者には小さいものであることを示す段階的なしるしを形成することを特徴とする請求項１ないし請求項３のいずれか一項に記載の吸収用品。
【請求項５】
前記サイズフィット表示手段(１９)は、前記用品の衣類に面する表面にプリントされたパターンを具備してなることを特徴とする請求項１ないし請求項４のいずれか一項に記載の吸収用品。
【請求項６】
前記ファスナー(１７)を受けるよう構成された受容材料からなる帯片(２２)が、前記第１の体面材(１１)上に配置されており、前記帯片は、前記ターゲット領域(１８)にわたって、かつ前記サイズフィット表示手段(１９)の少なくとも一部にわたって、横方向に延在しており、前記受容材料からなる帯片は、前記プリントされたパターンがそれを介して目で見えるように透過性のものであることを特徴とする請求項５に記載の吸収用品。
【請求項７】
前記ターゲット領域(１８)は、前記ファスナー(１７)を受けるように構成された受容材料からなる帯片上に配置されていることを特徴とする請求項１ないし請求項５のいずれか一項に記載の吸収用品。
【請求項８】
前記サイズフィット表示手段(１９)は、受容材料からなる前記帯片にプリントされたパターンを具備してなることを特徴とする請求項７に記載の吸収用品。
【請求項９】
前記用品の衣類に面する表面は、前記ファスナー(１７)を受けるよう構成された受容材料として機能するものであることを特徴とする請求項５に記載の吸収用品。
【請求項１０】
前記ターゲット領域(１８)は、前記サイズフィット表示手段(１９)のものとは明確に異なるパターンおよび／またはカラーを具備してなることを特徴とする請求項１ないし請求項９のいずれか一項に記載の吸収用品。
【請求項１１】
前記用品は乳児用おむつであることを特徴とする請求項１ないし請求項１０のいずれか一項に記載の吸収用品。
【国際調査報告】
2010532202.tif 000008
2010532202.tif 000009
2010532202.tif 000010
2010532202.tif 000011